(57)【要約】【課題】空調対象空間の潜熱処理を行う潜熱処理装置と空調対象空間の顕熱処理を行う顕熱処理装置とが備えられた空調システムにおいて、省エネルギー性、経済性、省スペース性等を確保しながら、顕熱負荷や潜熱負荷が大きく変動しても、各空調対象空間の快適性を確保する。【解決手段】空調対象空間Ｒの潜熱処理を行う潜熱処理装置１０と空調対象空間Ｒの顕熱処理を行う顕熱処理装置２０とが備えられた空調システム１００であって、潜熱処理装置１０は、空気を冷却除湿して複数の空調対象空間に供給可能な冷却除湿器１２にて構成され、複数の空調対象空間Ｒの何れかにおいて負荷が設定範囲から外れる負荷変動が生じた場合に、その負荷変動に対応して冷却除湿器１２を制御する制御部４０が備えられている。【選択図】図１
2018021683.tif 000002
【特許請求の範囲】
【請求項１】
空調対象空間の潜熱処理を行う潜熱処理装置と空調対象空間の顕熱処理を行う顕熱処理装置とが備えられた空調システムであって、
前記潜熱処理装置は、空気を冷却除湿して複数の空調対象空間に供給可能な冷却除湿器にて構成され、
複数の空調対象空間の何れかにおいて負荷が設定範囲から外れる負荷変動が生じた場合に、その負荷変動に対応して前記冷却除湿器を制御する制御部が備えられている空調システム。
【請求項２】
前記制御部は、空調対象空間の負荷に基づいて目標給気温度を設定し、空調対象空間への給気温度が目標給気温度になるように、前記冷却除湿器を制御するように構成され、且つ、複数の空調対象空間の何れかにて顕熱負荷が設定範囲よりも小さくなる負荷変動が生じた場合に、前記目標給気温度を上昇側に補正する室温優先モードを実行可能に構成されている請求項１に記載の空調システム。
【請求項３】
前記制御部は、空調対象空間の負荷に基づいて目標給気温度を設定し、空調対象空間への給気温度が目標給気温度になるように、前記冷却除湿器を制御するように構成され、且つ、複数の空調対象空間の何れかにて潜熱負荷が設定範囲よりも大きくなる負荷変動が生じた場合に、前記目標給気温度を低下側に補正する除湿優先モードを実行可能に構成されている請求項１又は２に記載の空調システム。
【発明の詳細な説明】
【技術分野】
【０００１】
本発明は、空調対象空間の潜熱処理を行う潜熱処理装置と空調対象空間の顕熱処理を行う顕熱処理装置とが備えられた空調システムに関する。
【背景技術】
【０００２】
商業施設やオフィスビルなどのような複数の空調対象空間を有する施設では、潜熱処理装置と顕熱処理装置とを備えた空調システムにより空調対象空間の空調を行う場合がある（例えば、特許文献１及び２を参照。）。この特許文献１及び２に記載の空調システムにおいて、屋外から外気を取り込んで各空調対象空間に供給するように構成された潜熱処理装置は、外気から潜熱を奪うことで低湿の除湿空気を生成し、その除湿空気を各空調対象空間に供給して、空調対象空間の主に潜熱負荷を処理する潜熱処理を行う。また、この潜熱処理装置は、空気を冷却除湿して複数の空調対象空間に供給可能な冷却除湿器にて構成された冷却除湿方式を採用しており、空気中の水分を吸着除湿する吸着材にて構成されたデシカント方式と比較して、省エネルギー性、経済性、省スペース性等で優位となる。一方、空調対象空間との間で室内空気を循環させるように構成された顕熱処理装置は、空調対象空間から取り込んだ室内空気から顕熱を奪うことで低温空気を生成し、その低温空気を空調対象空間に供給して、空調対象空間の主に顕熱負荷を処理する顕熱処理を行う。
【０００３】
特許文献１及び２に記載の空調システムは、室外機から供給された冷媒液を蒸発させて冷熱を得る蒸発器を、潜熱処理装置及び顕熱処理装置に冷却器として備えた直膨システムとして構成されている。
【先行技術文献】
【特許文献】
【０００４】
【特許文献１】ＷＯ２０１５／１７３８９５号公報
【特許文献２】特許第５３２８９５１号公報
【発明の概要】
【発明が解決しようとする課題】
【０００５】
特許文献１及び２に記載の空調システムでは、複数の空調対象空間が目標空調状態となるように潜熱処理装置及び顕熱処理装置を制御しているが、例えば、ある空調対象空間において、在室人数の増減などにより顕熱負荷や潜熱負荷が目標空調状態に対応する設定範囲から外れてしまうと、快適性が悪化する場合がある。例えば、顕熱負荷が他の空調対象空間よりも小さい側に変動すると、潜熱処理装置から過剰に冷却された空気が供給されることになるので、快適性が悪化する。また、潜熱負荷が他の空調対象空間よりも大きい側に変動すると、潜熱処理装置から十分に除湿された空気が供給されずに、潜熱負荷が十分に処理されずに除湿能力不足が生じる場合がある。
【０００６】
この実情に鑑み、本発明の主たる課題は、空調対象空間の潜熱処理を行う潜熱処理装置と空調対象空間の顕熱処理を行う顕熱処理装置とが備えられた空調システムにおいて、省エネルギー性、経済性、省スペース性等を確保しながら、顕熱負荷や潜熱負荷が大きく変動しても、各空調対象空間の快適性を確保することができる技術を提供する点にある。
【課題を解決するための手段】
【０００７】
本発明の第１特徴構成は、空調対象空間の潜熱処理を行う潜熱処理装置と空調対象空間の顕熱処理を行う顕熱処理装置とが備えられた空調システムであって、
前記潜熱処理装置は、空気を冷却除湿して複数の空調対象空間に供給可能な冷却除湿器にて構成され、
複数の空調対象空間の何れかにおいて負荷が設定範囲から外れる負荷変動が生じた場合に、その負荷変動に対応して前記冷却除湿器を制御する制御部が備えられている点にある。
【０００８】
本構成によれば、潜熱処理装置と顕熱処理装置とを備えた潜熱・顕熱分離の空調システムにおいて、当該潜熱処理装置が、冷却除湿器から構成されているので、省エネルギー性、経済性、省スペース性等で優位となる。そして、潜熱処理装置を構成する冷却除湿器にて冷却除湿した空気を複数の空調対象空間に供給し、ある空調対象空間において顕熱負荷や潜熱負荷が設定範囲から外れて大きく変動している場合には、他の空調対象空間よりも優先して、その負荷変動に対応して冷却除湿器を制御することができる。このことで、顕熱負荷や潜熱負荷の変動分を主に潜熱処理装置における冷却除湿器の冷却除湿能力の変更により処理することができ、顕熱負荷や潜熱負荷が大きく変動する空調対象空間における快適性の悪化を抑制することができる。
従って、本発明により、潜熱処理装置と顕熱処理装置とが備えられた空調システムにおいて、省エネルギー性、経済性、省スペース性等を確保しながら、顕熱負荷や潜熱負荷が大きく変動しても、各空調対象空間の快適性を確保することができる。
【０００９】
本発明の第２特徴構成は、前記制御部は、空調対象空間の負荷に基づいて目標給気温度を設定し、空調対象空間への給気温度が目標給気温度になるように、前記冷却除湿器を制御するように構成され、且つ、複数の空調対象空間の何れかにて顕熱負荷が設定範囲よりも小さくなる負荷変動が生じた場合に、前記目標給気温度を上昇側に補正する室温優先モードを実行可能に構成されている点にある。
【００１０】
本構成によれば、潜熱処理装置において、空調対象空間への給気温度が目標給気温度になるように冷却除湿器を制御するにあたり、在室人数の減少等の理由により、ある空調対象空間において顕熱負荷が設定範囲よりも小さくなるような負荷変動（以下、この負荷変動を「顕熱負荷の極小化」と呼ぶ場合がある。）が生じると、上記冷却除湿器の制御における目標給気温度を上昇側に補正する室温優先モードを実行することができる。そして、ある空調対象空間で顕熱負荷の極小化が生じた場合に、このような室温優先モードを実行すれば、潜熱処理装置からの給気温度が上昇するので、当該空調対象空間における過剰な室温低下を抑制して、快適性を確保することができる。
【００１１】
本発明の第３特徴構成は、前記制御部は、空調対象空間の負荷に基づいて目標給気温度を設定し、空調対象空間への給気温度が目標給気温度になるように、前記冷却除湿器を制御するように構成され、且つ、複数の空調対象空間の何れかにて潜熱負荷が設定範囲よりも大きくなる負荷変動が生じた場合に、前記目標給気温度を低下側に補正する除湿優先モードを実行可能に構成されている点にある。
【００１２】
本構成によれば、潜熱処理装置において、空調対象空間への給気温度が目標給気温度になるように冷却除湿器を制御するにあたり、在室人数の増加等の理由により、ある空調対象空間において潜熱負荷が設定範囲よりも大きくなるような負荷変動（以下、このような負荷変動を「潜熱負荷の極大化」と呼ぶ場合がある。）が生じると、上記冷却除湿器の制御における目標給気温度を低下側に補正する除湿優先モードを実行することができる。そして、ある空調対象空間で潜熱負荷の極大化が生じた場合に、このような除湿優先モードを実行すれば、潜熱処理装置からの給気湿度が低下するので、当該空調対象空間における過剰な湿度上昇を抑制して、快適性を確保することができる。
【図面の簡単な説明】
【００１３】
【図１】本実施形態に係る空調システムの構成を示す図
【図２】図１に示す空調システムの制御フローを示す図
【発明を実施するための形態】
【００１４】
本発明に係る空調システムの実施形態について図面に基づいて説明する。
図１に示す空調システム１００は、商業施設やオフィスビルなどのような複数の空調対象空間Ｒを有する施設に設けられ、空調対象空間Ｒの潜熱処理を行う潜熱処理装置１０と、空調対象空間Ｒ（図１では２つの空調対象空間Ｒを例示している。）の顕熱処理を行う顕熱処理装置２０と、これら処理装置１０，２０の運転を制御する制御装置４０（制御部の一例）とが備えられている。
【００１５】
潜熱処理装置１０は、ファン１１の送風動力により屋外から取り込んだ外気ＯＡを給気ＳＡとして給気ダクト１を通じて複数の空調対象空間Ｒに分配供給すると共に、ファン１３の送風動力により複数の空調対象空間Ｒから排気ダクト２を通じて取り込んだ室内空気ＲＡを排気ＥＡとして屋外に排出するように構成されている。
【００１６】
更に、潜熱処理装置１０は、空気を冷却除湿して複数の空調対象空間Ｒに供給可能な冷却除湿コイル１２（冷却除湿器の一例）にて構成されている。具体的には、屋外から取り込んだ外気ＯＡを、後述する全熱交換器１４に通過させた後に冷却除湿コイル１２に通過させ、この冷却除湿コイル１２において、チラー３０（熱源機の一例）で生成された低温の冷却水ＣＷとの熱交換により露点以下に冷却することで設定湿度に除湿する所謂潜熱処理を行い、この除湿後の外気ＯＡを、再熱器にて加熱することなく給気ＳＡとして複数の空調対象空間Ｒに供給する。このように、冷却除湿コイル１２を採用した冷却除湿方式の潜熱処理装置１０は、空気中の水分を吸着除湿する吸着材にて構成されたデシカント方式のものと比較して、省エネルギー性、経済性、省スペース性等で優位となる。
【００１７】
潜熱処理装置１０には、冷却除湿コイル１２を通流する冷却水ＣＷの流量を調整可能な流量調整弁１５が設けられており、冷却除湿コイル１２を通過した後の給気ＳＡの実際の温度を実給気温度Ｔｓとして計測する温度センサ１６が設けられている。そして、詳細については後述するが、制御装置４０は、潜熱処理装置１０の運転制御において、温度センサ１６で計測される実給気温度Ｔｓが予め決定された目標給気温度Ｔｓｔになるように、流量調整弁１５の開度調整により冷却除湿コイル１２を通流する冷却水ＣＷの流量を制御する所謂冷却水量制御を実行する。
【００１８】
また、潜熱処理装置１０には、冷却除湿コイル１２の他に、排気ＥＡとして排出される室内空気ＲＡから、換気によって失われる空調エネルギーの全熱（顕熱及び潜熱）を回収して、給気ＳＡとして供給される外気ＯＡに与える全熱交換器１４が設けられており、このことで省エネルギー性の更なる向上が図られている。
【００１９】
一方、顕熱処理装置２０は、複数の空調対象空間Ｒの夫々に個別に配置されるファンコイルユニットとして構成されている。具体的には、ファン２１の送風動力により空調対象空間Ｒから取り込んだ室内空気ＲＡを冷却コイル２２に通過させ、この冷却コイル２２において、チラー３０で生成された低温の冷却水ＣＷとの熱交換により設定温度に冷却する所謂顕熱処理を行い、この冷却後の室内空気ＲＡを給気ＳＡとして空調対象空間Ｒに供給する。
【００２０】
各空調対象空間Ｒには、実際の室内温度（乾球温度）を実室内温度Ｔｒとして計測する温度センサ２３と、実際の室内湿度（相対湿度）を実室内湿度Ｈｒとして計測する湿度センサ２４とが設けられている。尚、一の空調対象空間Ｒにおける温度センサ２３や湿度センサ２４の設置個数については、図１では夫々１個のみを設置した状態を記載しているが、夫々複数個を設置しても構わない。また、複数個を設置する場合には、各検出値の平均値や代表値を計測値として扱うことができる。
そして、制御装置４０は、各空調対象空間Ｒにおける顕熱処理装置２０の運転制御において、温度センサ２３で計測される実給気温度Ｔｓが予め決定された目標室内温度になるように、ファン２１の送風量又は冷却コイル２２を通流する冷却水ＣＷの流量を制御する所謂室内空調制御を実行する。
【００２１】
更に、詳細については後述するが、制御装置４０は、温度センサ２３で計測された実室内温度Ｔｒと湿度センサ２４で計測された実室内湿度Ｈｒとから、空調対象空間Ｒの空気状態を所望の状態とするための目標給気温度Ｔｓｔを決定し、その決定した目標給気温度Ｔｓｔを、上述した潜熱処理装置１０の潜熱処理における冷却水量制御に用いる。
【００２２】
このような潜熱処理装置１０と顕熱処理装置２０とを備えた空調システム１００では、夫々の空調対象空間Ｒに対して、潜熱処理装置１０により潜熱処理が行われた給気ＳＡと、顕熱処理装置２０により顕熱処理が行われた給気ＳＡとを供給することにより、当該空調対象空間Ｒの温度及び湿度の空気状態を設定範囲内に調整することができる。
【００２３】
かかる空調システム１００では、複数の空調対象空間Ｒの何れかにおいて負荷が設定範囲から外れる負荷変動が生じる場合がある。具体的には、ある空調対象空間Ｒにおいて、例えば在室人数の減少により室内温度が低下した場合等には、その空調対象空間Ｒにおいて、顕熱負荷が設定範囲よりも小さくなるような顕熱負荷の極小化が発生することがある。また、ある空調対象空間Ｒにおいて、例えば在室人数の増加により室内湿度が上昇した場合等には、その空調対象空間Ｒにおいて、潜熱負荷が設定範囲よりも大きくなる潜熱負荷の極大化が発生することがある。
【００２４】
そして、ある空調対象空間Ｒにおいて、室内温度が低下して顕熱負荷の極小化が発生した場合には、潜熱処理装置１０から通常どおりに冷却除湿された給気ＳＡが供給され続けることで、過剰冷房となり快適性が悪化することが懸念される。
一方、ある空調対象空間Ｒにおいて、室内湿度が上昇して潜熱処理の極大化が発生した場合には、潜熱処理装置１０から通常どおりに冷却除湿された給気ＳＡが供給され続けることで、除湿不足となり快適性が悪化することが懸念される。
【００２５】
そこで、本実施形態の空調システム１００では、顕熱負荷や潜熱負荷が大きく変動しても、各空調対象空間Ｒの快適性を確保することができる構成を有しており、その構成について以下に説明を加える。
【００２６】
空調システム１００の制御装置４０は、潜熱処理装置１０の潜熱処理における冷却水量制御において、複数の空調対象空間Ｒの何れかにおいて負荷が設定範囲から外れる負荷変動が生じた場合に、その負荷変動に対応して冷却除湿コイル１２を通流する冷却水ＣＷの流量を制御するように構成されている。
以下、この制御装置４０により実行される潜熱処理装置１０の潜熱処理における冷却水量制御の制御フローの詳細について、図２を参照して説明する。
【００２７】
先ず、快適性を確保するための目標室内湿度Ｈｒｔが設定される（ステップ＃０１）。尚、図示や詳細な説明は割愛するが、制御装置４０において、目標室内湿度Ｈｒｔなどの数値設定は、利用者がリモコンなどの操作部を操作することにより行うことができる。
更に、空調対象空間Ｒにおける顕熱負荷の極小化を判断するための室内温度下限値Ｔｒｍｉｎが設定され（ステップ＃０２）、空調対象空間Ｒにおける潜熱負荷の過大化を判断するための室内湿度上限値Ｈｒｍａｘが設定される（ステップ＃０３）。
この室内温度下限値Ｔｒｍｉｎや室内湿度上限値Ｈｒｍａｘについては、利用者が直接設定することもできるが、予め設定された初期値を利用しても構わず、また、利用者が設定した室内温度や室内湿度に基づいて決定しても構わない。
【００２８】
次に、各空調対象空間Ｒにおいて、実室内温度Ｔｒが温度センサ２３により計測され、実室内湿度Ｈｒが湿度センサ２４により計測される（ステップ＃０４）。そして、これら計測された実室内温度Ｔｒ及び実室内湿度Ｈｒから、各空調対象空間Ｒの空気状態を所望の状態とするための潜熱処理装置１０からの目標給気温度Ｔｓｔが決定される。尚、この目標給気温度Ｔｓｔを決定するために用いる実室内温度Ｔｒ及び実室内湿度Ｈｒについては、複数の空調対象空間Ｒの夫々での計測値の平均値とすることができる。また、全ての空調対象空間Ｒの実室内温度Ｔｒ及び実室内湿度Ｈｒを用いるのではなく、例えば潜熱処理装置１０からの給気温度に関して重要度が低い空調対象空間Ｒを除く一部の空調対象空間Ｒの実室内温度Ｔｒ及び実室内湿度Ｈを用いて目標給気温度Ｔｓｔを決定しても構わない。更に、代表となる空調対象空間Ｒを設定し、その空調対象空間Ｒでの実室内温度Ｔｒ及び実室内湿度Ｈｒを用いて目標給気温度Ｔｓｔを決定しても構わない。また、このように目標給気温度Ｔｓｔの決定に用いる実室内温度Ｔｒ及び実室内湿度Ｈｒを計測するための空調対象空間Ｒについては、利用者が適宜選択して設定するように構成することもできる。
【００２９】
このように目標給気温度Ｔｓｔが決定されると、潜熱処理装置１０の冷却水量制御（ステップ＃０６）が実行されて、温度センサ１６で計測される実給気温度Ｔｓが目標給気温度Ｔｓｔになるように、流量調整弁１５の開度調整により冷却除湿コイル１２を通流する冷却水ＣＷの流量が制御される。
そして、後述するステップ＃０７及びステップ＃０８において顕熱負荷の極小化や潜熱負荷の極大化が発生していないと判定した場合には、目標給気温度Ｔｓｔが変更されることなく一定の値に維持された状態で冷却水量制御が保持される所謂通常除湿モード（ステップ＃２０）が実行される。このことで、各空調対象空間Ｒの温度及び湿度の空気状態が適切な設定範囲内の状態に維持されることになる。
【００３０】
一方、複数の空調対象空間Ｒの何れかにおいて実室内温度Ｔｒが上記ステップ＃０２で設定された室内温度下限値Ｔｒｍｉｎ以下であるか否かを判定する、言い換えれば、複数の空調対象空間Ｒの夫々で計測された実室内温度Ｔｒのうちの最低値である最低実室内温度が上記ステップ＃０２で設定された室内温度下限値Ｔｒｍｉｎ以下であるか否かを判定する（ステップ＃０７）。そして、実室内温度Ｔｒが室内温度下限値Ｔｒｍｉｎ以下である空調対象空間Ｒが存在する場合には、その空調対象空間Ｒにおいて顕熱負荷が設定範囲よりも小さくなる所謂顕熱負荷の極小化が発生していると判定することができる。
【００３１】
そして、このような顕熱負荷の極小化が発生していると判定した場合（ステップ＃０７のＹＥＳ）には、後述する室温優先モード（ステップ＃１０）が実行される。具体的には、この室温優先モード（ステップ＃１０）では、目標給気温度Ｔｓｔを例えば１℃分上昇側に補正（ステップ＃１１）して、当該補正後の目標給気温度Ｔｓｔを用いて潜熱処理装置１０の潜熱処理における冷却水量制御を一定時間保持する（ステップ＃１２）。更に、最低実室内温度が室内温度下限値Ｔｒｍｉｎ以下であると判定される（ステップ＃１３のＹＥＳ）間は、このような目標給気温度Ｔｓｔの上昇側への補正（ステップ＃１１）と冷却水量制御の保持（ステップ＃１２）とを繰り返し実行し、最低実室内温度が室内温度下限値Ｔｒｍｉｎよりも高くなった場合（ステップ＃１３のＮＯ）には、この室温優先モード（ステップ＃１０）の実行を終了する。尚、この室温優先モードにおける目標給気温度Ｔｓｔの上昇幅は適宜変更することができ、例えば顕熱負荷の極小化が発生している空調対象空間Ｒの実室内温度Ｔｒと室内温度下限値Ｔｒｍｉｎとの温度差等に応じて変更することもできる。
【００３２】
このように、ある空調対象空間Ｒで顕熱負荷の極小化が生じた場合に室温優先モードを実行すれば、潜熱処理装置１０から各空調対象空間Ｒへの給気ＳＡの温度が上昇するので、顕熱負荷の極小化が発生していた空調対象空間Ｒにおける過剰な室温低下が抑制され、快適性が確保されることになる。尚、室温優先モード（ステップ＃１０）の実行可否のために上記ステップ＃０７にて顕熱負荷の極小化の判定対象とする空調対象空間Ｒについては、全ての空調対象空間Ｒとするのではなく、例えば顕熱負荷処理において重要度が低い空調対象空間Ｒを除く一部の空調対象空間Ｒとすることができる。また、顕熱負荷の極小化の判定対象とする空調対象空間Ｒを、利用者が適宜選択して設定するように構成することもできる。
【００３３】
また、顕熱負荷の極小化が発生していると判定されなかった場合（ステップ＃０７のＮＯ）には、複数の空調対象空間Ｒの何れかにおいて実室内湿度Ｈｒが上記ステップ＃０３で設定された室内湿度上限値Ｈｒｍａｘ以上であるであるか否かを判定する、言い換えれば、複数の空調対象空間Ｒの夫々で計測された実室内湿度Ｈｒのうちの最大値である最大実室内湿度が上記ステップ＃０３で設定された室内湿度上限値Ｈｒｍａｘ以上であるか否かを判定する（ステップ＃０８）。そして、実室内湿度Ｈｒが室内湿度上限値Ｈｒｍａｘ以上である空調対象空間Ｒが存在する場合には、その空調対象空間Ｒにおいて潜熱負荷が設定範囲よりも大きくなる所謂潜熱負荷の極大化が発生していると判定することができる。
【００３４】
そして、このような潜熱負荷の極大化が発生していると判定した場合（ステップ＃０８のＹＥＳ）には、後述する除湿優先モード（ステップ＃３０）が実行される。具体的には、この除湿優先モード（ステップ＃３０）では、目標給気温度Ｔｓｔを例えば１℃分低下側に補正（ステップ＃３１）して、当該補正後の目標給気温度Ｔｓｔを用いて潜熱処理装置１０の潜熱処理における冷却水量制御を一定時間保持する（ステップ＃３２）。更に、最大実室内湿度が室内湿度上限値Ｈｒｍａｘ以上であると判定される（ステップ＃３３のＹＥＳ）間は、このような目標給気温度Ｔｓｔの低下側への補正（ステップ＃３１）と冷却水量制御の保持（ステップ＃３２）とを繰り返し実行し、最大実室内温度が室内湿度上限値Ｈｒｍａｘよりも低くなった場合（ステップ＃３３のＮＯ）には、この除湿優先モード（ステップ＃３０）の実行を終了する。尚、この除湿優先モードにおける目標給気温度Ｔｓｔの低下幅は適宜変更することができ、例えば潜熱負荷の極大化が発生している空調対象空間Ｒの実室内湿度Ｈｒと室内湿度上限値Ｈｒｍａｘとの湿度差等に応じて変更することもできる。
【００３５】
このように、ある空調対象空間Ｒで潜熱負荷の極大化が生じた場合に除湿優先モードを実行すれば、潜熱処理装置１０から各空調対象空間Ｒへの給気ＳＡの湿度が低下するので、潜熱負荷の極大化が発生していた空調対象空間Ｒにおける過剰な湿度上昇が抑制され、快適性が確保されることになる。尚、除湿優先モード（ステップ＃３０）の実行可否のために上記ステップ＃０８にて潜熱負荷の極大化の判定対象とする空調対象空間Ｒについては、全ての空調対象空間Ｒとするのではなく、例えば潜熱負荷処理において重要度が低い空調対象空間Ｒを除く一部の空調対象空間Ｒとすることができる。また、潜熱負荷の極大化の判定対象とする空調対象空間Ｒを、利用者が適宜選択して設定するように構成することもできる。
【００３６】
また、上述した室温優先モード（ステップ＃１０）、通常除湿モード（ステップ２０）、及び、除湿優先モード（ステップ＃３０）の終了後には、本制御フローが繰り返し実行されるが、その繰り返し実行される際には、上述したステップ＃０４の前に戻り、当該ステップ＃０４の実室内温度Ｔｒ及び実室内湿度Ｈｒの計測ステップから本制御フローが実行される。
【００３７】
〔別実施形態〕
（１）上記実施形態では、制御装置４０が、複数の空調対象空間Ｒの何れかにおいて負荷が設定範囲から外れる負荷変動が生じた場合に、その負荷変動に対応して冷却除湿コイル１２での冷却水の流量を制御するにあたり、顕熱負荷の極小化が生じた場合にはそれを解消するべく室内優先モードを実行し、潜熱負荷の極大化が生じた場合にはそれを解消するべく除湿優先モードを実行するように構成したが、室内優先モード及び除湿優先モードの何れか一方のみを実行して、顕熱負荷の極小化及び潜熱負荷の極大化の一方のみを解消するように構成しても構わない。
【符号の説明】
【００３８】
１０        潜熱処理装置
１２        冷却除湿コイル（冷却除湿器）
２０        顕熱処理装置
４０        制御装置（制御部）
１００      空調システム
Ｔｓｔ      目標給気温度
【図１】
2018021683.tif 000003
【図２】
2018021683.tif 000004